(57)【要約】【課題】グレチャンの継ぎ目における隙間の発生を抑えると共に、隙間が発生した場合にもその露出を防ぐことのできるグレチャン連結部品を提供する。【解決手段】サッシ框２０に設けられるガラス挿入溝２４ｂに納めるガラス体３０の周縁部を囲繞するグレチャン１０の突き合わせ端部を連結するグレチャン連結部品１であって、ガラス体３０の厚さよりも幅広のガラス溝４を備えてなる仕切板２と、該仕切板２のガラス溝４を挟んで両上端部に設けた笠板３とからなり、グレチャン１０の突き合わせ両端部は仕切板２の両面に当接させて連接せしめ、笠板３はグレチャン１の突き合わせ端部を覆ってなる。【選択図】　図１
2004124592.tif 000002
【特許請求の範囲】
【請求項１】
サッシ框に設けられるガラス挿入溝に納めるガラス体の周縁部を囲繞するグレチャンの突き合わせ端部を連結するグレチャン連結部品であって、
上記ガラス体の厚さよりも幅広のガラス溝を備えてなる仕切板と、該仕切板のガラス溝を挟んで両上端部に設けた笠板とからなり、
上記グレチャンの突き合わせ両端部は上記仕切板の両面に当接させて連接せしめ、上記笠板は上記グレチャンの突き合わせ端部を覆うことを特徴とするグレチャン連結部品。
【請求項２】
上記仕切板は上記サッシ框のガラス挿入溝と略同幅に形成されると共に、上記サッシ框の端縁部に当接する段部を有していることを特徴とする請求項１記載のグレチャン連結部品。
【請求項３】
上記笠板は上記仕切板からグレチャン方向にそれぞれ突出し、上記グレチャンの突き合わせ端部の露出面を覆ってなることを特徴とする請求項１または２記載のグレチャン連結部品。
【請求項４】
上記仕切板の両表面にはグレチャンに設けられた中空部に納まる断面形状を有する一対の突起部を備え、これら突起部は上記中空部に嵌入されることを特徴とする請求項１〜３記載のグレチャン連結部品。
【請求項５】
上記仕切板は突起部を形成されることなく上記グレチャンの突き合わせ端部に当接し接着固定されることを特徴とする請求項１記載のグレチャン連結部品。
【発明の詳細な説明】
【発明の属する技術分野】
【０００１】
本発明は、ガラスをサッシ框に納めるグレチャンの連結部において、対向する各端面に当接しグレチャンを連結すると共に、グレチャン連結部の屋内外露出部分を略覆うグレチャン連結部品に関する。
【０００２】
【従来の技術】
従来、サッシ框に納められるガラスの外周には樹脂等からなるグレージングチャンネル（以下グレチャンという）を四周に渡って設けている。グレチャンを設けることにより、ガラス周縁部を保護すると共にシール性を確保することができる。
【０００３】
ガラスのサッシ框に対する取付の際には、まず長尺状のグレチャンをガラスの四周に取付けることのできる長さに切断する。次に、グレチャンをガラスに嵌挿する場合に、ガラスのコーナー部分については、グレチャンの上面部を残して縦方向に切断し、上面部はガラスの角部に当接するようにしながら、グレチャンを直角に折曲げる。このようにして、グレチャンをガラスの四周に嵌挿する。
【０００４】
グレチャンをガラスに取付けた場合、グレチャンはガラスの四周におけるいずれかの位置で突き合わされ、グレチャンの外周はサッシ框のガラス挿入溝によって挟持固定される。しかし、グレチャンが突き合わされた部分をそのままにしておくと、次第にその部分に隙間が発生し、水密性を低下させる。そこで、突き合わされるグレチャンを相互に連結して、隙間の発生を抑えるようにされる。このため、例えば特開平１１−１７３０１８に記載されているように、グレチャンを直接接着したりテープ止めにより連結する他、ガラスのコーナー部分においてＬ形連結材を用いてグレチャンの連結を行うものが知られている。
【０００５】
【発明が解決しようとする課題】
しかし、従来のグレチャンの連結に関しては以下の問題を有していた。
上記のようなＬ形連結材によると、グレチャンの連結はガラスのコーナー部においてしか行うことはできない。そこで、コーナー部以外でグレチャンを突き合わせると、その部分においては継ぎ目が生じ、また隙間が発生した場合には屋内側及び屋外側に露出するために見栄えがよくない。
【０００６】
本発明は、上記問題点を解決すべくなされたものであり、グレチャンの継ぎ目における隙間の発生を抑えると共に、隙間が発生した場合にもその露出を防ぐことのできるグレチャン連結部品を提供することを目的とする。
【０００７】
【課題を解決するための手段】
上記課題を解決するため、本発明に係るグレチャン連結部品は、サッシ框に設けられるガラス挿入溝に納めるガラス体の周縁部を囲繞するグレチャンの突き合わせ端部を連結するグレチャン連結部品であって、
上記ガラス体の厚さよりも幅広のガラス溝を備えてなる仕切板と、該仕切板のガラス溝を挟んで両上端部に設けた笠板とからなり、
上記グレチャンの突き合わせ両端部は上記仕切板の両面に当接させて連接せしめ、上記笠板は上記グレチャンの突き合わせ端部を覆うことを特徴として構成されている。
【０００８】
また、本発明に係るグレチャン連結部品は、上記仕切板は上記サッシ框のガラス挿入溝と略同幅に形成されると共に、上記サッシ框の端縁部に当接する段部を有していることを特徴として構成されている。
【０００９】
さらに、本発明に係るグレチャン連結部品は、上記笠板は上記仕切板からグレチャン方向にそれぞれ突出し、上記グレチャンの突き合わせ端部の露出面を覆ってなることを特徴として構成されている。
【００１０】
さらにまた、本発明に係るグレチャン連結部品は、上記仕切板の両表面にはグレチャンに設けられた中空部に納まる断面形状を有する一対の突起部を備え、これら突起部は上記中空部に嵌入されることを特徴として構成されている。
【００１１】
そして、本発明に係るグレチャン連結部品は、上記仕切板は突起部を形成されることなく上記グレチャンの突き合わせ端部に当接し接着固定されることを特徴として構成されている。
【００１２】
【発明の実施の形態】
本発明の実施形態について、図に沿って詳細に説明する。図１は本実施形態におけるグレチャン連結部品の斜視図である。また、図２は本実施形態におけるグレチャン連結部品の正面図である。さらに、図３は本実施形態におけるグレチャン連結部品の底面図である。
【００１３】
連結部品本体１は、軟質または半硬質の樹脂材からなるもので、略Ｕ字の薄板状に形成され、グレチャン本体１０の突き合わせ両端面に当接する仕切板２を備え、Ｕ字の両上端部に仕切板２の肉厚方向に突出した笠板３を形成されてなるものである。
【００１４】
グレチャン本体１０は、ガラス体３０の周縁部に四周に渡って取付けられるもので、断面形状を略Ｕ字状に形成されると共に、長手方向に略同一断面となるように極めて長い長尺状に形成され、ガラス体３０に取付ける際には、適宜必要な長さに切断される。このため、ガラス体３０の周縁部におけるいずれかの位置で、グレチャン本体１０はその切断面において互いに向かい合い、突き合わされる。連結部品本体１は、その突き合わされたグレチャン本体１０の端面を連結させる。
【００１５】
本実施形態におけるグレチャン本体１０は、弾力性を有する軟質の樹脂材からなり、その断面形状において、天面部１２と底面１３及び左右の側面１４、１４により断面形状略Ｕ字状とされてなると共に、ガラス体３０を保持するガラス保持部１１を形成されている。
【００１６】
また、グレチャン本体１０は、複層ガラスの厚さに略適合するように形成されたサッシ框２０のガラス挿入溝２４ｂに納まるように、天面部１２及び底面１３を幅広に形成する。ガラス体３０は、複層ガラスに比べて厚さの薄い単板ガラスからなり、このガラス体３０を保持することができるように、ガラス保持部１１は幅狭に形成される。さらに、グレチャン本体１０の底面１３は、水平方向に平坦な平面となるように形成される。
【００１７】
また、グレチャン本体１０の側面１４は、その下半分は底面１３から斜め上方に延びると共に、上半分は垂直方向に延びている。左右の側面１４、１４における上半分の垂直方向に延びた部分には、それぞれサッシ固定溝１４ａ、１４ａが形成されており、グレチャンの取付けの際には、サッシ框２０のガラス挟持部２４の端縁部２４ａを係合させてグレチャン本体１０を挟持する。
【００１８】
グレチャン本体１０の天面部１２は、ガラス保持部１１の開口から側面１４に向かって下り傾斜面によって構成されている。また、グレチャン本体１０の内部における左右の側面１４、１４とガラス保持部１１の間には、中空部１５が設けられる。中空部１５は、断面形状略方形状に形成される。ただし、円形など他の形状でもよい。また、中空部１５はグレチャン本体１０の長手方向に略同一形状に形成される。
【００１９】
このように、本実施形態におけるグレチャン本体１０は、複層ガラスを納めるサッシ框２０のガラス挿入溝２４ｂと略同幅に形成され、そのガラス保持部１１には単板ガラスを納めるもので、すなわち複層ガラス用のサッシに単板ガラスを納めることのできるものである。連結部品１は、このグレチャン本体１０の端面に当接し、接着等によってグレチャン本体１０に連接させると共に、その連結部分を覆うものであり、仕切板２はグレチャン本体１０の端面に当接し、笠板３によって突き合わせ端部を覆っている。
【００２０】
仕切板２は、連結するグレチャン本体１０の断面形状に略適合する形状とされており、サッシ框２０のガラス挿入溝２４ｂと略同幅とされると共に、その上端部は、断面形状において連結部品１の両側面に向かって下り傾斜となるように形成される。また、グレチャン本体１０のガラス保持部１１に合わせてガラス溝４を形成し、仕切板２を略Ｕ字状としている。このガラス溝４はグレチャン本体１０のガラス保持部１１よりも幅広に形成しており、すなわちグレチャン本体１０に保持されるガラス体３０よりも幅広に形成される。さらに、ガラス挟持部２４の端縁部２４ａに当接する段部２ａを有している。
【００２１】
また、仕切板２はグレチャン本体１０の中空部１５に嵌入される突起部５を両面に有している。この突起部５は、グレチャン本体１０を仕切板２に当接させた場合に、中空部１５に略適合する場所にそれぞれ２個所ずつ設けられている。また、突起部５は断面形状をグレチャン本体１０の中空部１５に納められるように形成されており、突起部５を中空部１５に嵌込むことで、グレチャン本体１０の連結部分を強固に連結させることができる。本実施形態においては、グレチャン本体１０の中空部１５は、断面形状略方形状に形成されていることから、突起部５もそれに納めることのできる断面形状略方形状に形成される。さらに、突起部５はその先端方向に向かって細くなるように先細部５ａを形成しており、突起部５をグレチャン本体１０の中空部１５に対して容易に嵌込むことができるようにされている。
【００２２】
仕切板２の上端部には笠板３が設けられている。笠板３は、仕切板２の肉厚方向に幅広の薄板状に形成されてなり、ガラス体３０がサッシ框２０に固定された場合の、突き合わされたグレチャン本体１０の両端部の屋内外露出部分を覆うように、グレチャン本体１０の天面部１２に略適合する形状とされている。すなわち、笠板３はグレチャン本体１０をサッシ框２０のガラス挿入溝２４ｂによって挟持された場合における突き合わせ端部の露出面を覆うように形成されると共に、ガラス体３０に当接する開口３ａを有しており、断面形状略ハ字状とされてなる。また、笠板３の左右両端部には下方に向かって突出しており、これによってガラス体３０がサッシ框２０に固定された場合における突き合わされたグレチャン本体１０の露出面の全体を覆うことができる。
【００２３】
次に、本実施形態における連結部品１を用いた、ガラス体３０のサッシ框２０に対する固定構造について説明する。図４は、本実施形態においてグレチャン本体１０によってガラス体３０の四周を囲繞すると共にサッシ框２０を取付ける際の組立図を示している。また図５は、グレチャン本体１０の連結部分における側面図を示している。サッシ框２０は、上框２１と下框２２及び左右の縦框２３を方形状に框組みされると共に、内部にガラス体３０を納めてなるものである。
【００２４】
本実施形態におけるサッシ框２０は、金属框２０ａとその屋内側露出部分を覆うように取付けられた樹脂框２０ｂとからなる複合型の框材によって構成されている。すなわち、樹脂上框２１ｂは金属上框２１ａに、樹脂下框２２ｂは金属下框２２ａに、樹脂縦框２３ｂは金属縦框２３ａに、それぞれ取り付けられている。
【００２５】
ガラス体３０のサッシ框２０に対する取付の際には、まず長尺状のグレチャン本体１０をガラス体３０の四周に取付けることのできる長さに切断する。次に、グレチャン本体１０をガラス体３０に嵌挿する場合に、ガラス体３０の四隅にあたる部分は、天面部１２を残してグレチャン本体１０を縦方向に切断し、天面部１２はガラス体３０の角部に当接するようにしながら、グレチャン本体１を直角に折曲げる。そして、グレチャン本体１０のガラス保持部１１にガラス体３０の周縁部を嵌込み、グレチャン本体１０をガラス体３０の四周に嵌挿する。
【００２６】
そして、切断されたグレチャン本体１０の突き合わせ端部には、図４及び図５に示すように連結部品１を設ける。連結部品１の仕切板２は、ガラス溝４にガラス体３０を納めるように配置し、その一方の面はグレチャン本体１０の一方の端面に当接、接着すると共に、突起部５をグレチャン本体１０の中空部１５に嵌込んでおく。仕切板２の反対側の面には、突き合わされるもう一方のグレチャン本体１０の端面を当接、接着させ、その中空部１５には突起部５を嵌込んで、グレチャン本体１０の両端部を連結する。
【００２７】
このようにしてグレチャン本体１０によって四周に渡って囲繞したガラス体３０には、框材が取付けられる。上框２１と下框２２及び左右の縦框２３は、それぞれ屋内側と屋外側にそれぞれガラス挟持部２４を有したガラス挿入溝２４ｂを備えており、ガラス体３０の周縁部をガラス挿入溝２４ｂに納めると共に、ガラス挟持部２４の先端に設けられた端縁部２４ａを、グレチャン本体１０のサッシ固定溝１４ａに係合させて、グレチャン本体１０を挟持する。グレチャン本体１０を挟持することで、ガラス体３０はサッシ框２０に対して強固に固定される。
【００２８】
框材をグレチャン本体１０に取付けたら、上框２１と左右の縦框２３、２３をビス孔２７を介して組立ビス２５によって固定し、さらにその上からビスキャップ２６を取付けて組立ビス２５が屋内側に露出しないようにする。また、下框２２と左右の縦框２３、２３についても同様に組立ビス２５によって固定する。
【００２９】
グレチャン本体１０の連結された部分は、突起部５によって隙間が生じないようにされている。しかし、突き合わせた部分には継ぎ目が生じ、また経年劣化により隙間が生じることもある。しかし本実施形態においては、連結部品１の笠板３は、グレチャン本体１０の継ぎ目部分における屋内外露出部分を覆っており、継ぎ目や隙間を見えないようにしている。
【００３０】
次に、グレチャン本体１０のガラス体３０の四周にあたる部分の切断を行う切断治具４０について説明する。この切断は、上述のように天面部１２を残してグレチャン本体１０を縦方向に切断するものである。カッター等の通常の切断具を用いた場合には、グレチャン本体１０について天面部１２を残して切断するのは困難であり、また可能であったとしても作業性がよくない。そこで、本実施形態における切断治具４０を用いて切断を行う。
【００３１】
切断治具４０は図５に示すように、左右の持手部４１、４１と一方の先端に設けられる切断刃４３及びもう一方の先端に設けられるグレチャン保持部４４からなるものである。先端にグレチャン保持部４４を形成された持手部４１は、回転部４２を介してもう一方の持手部４１と連結されており、左右の持手部４１を手で持って挟持することにより、切断刃４３による切断を行うことができる。
【００３２】
グレチャン保持部４４は、その上面を凹部４４ａを有する平面状に形成している。凹部４４ａは、グレチャン保持部４４における刃渡り方向略中央部付近に矩形状に形成され、その深さはグレチャン本体１０の天面部１２の肉厚と略同一とする。
【００３３】
グレチャン本体１０を切断する場合には、グレチャン保持部４４の凹部４４ａにグレチャン本体１０の切断したい部分における天面部１２を当接させるように配置する。このようにして、左右の持手部４１を手で持って挟持すると、切断刃４３は、グレチャン本体１０の底面及び側面を縦方向に切断する。切断を進めると、切断刃４３はグレチャン保持部４４の凹部４４ａ以外の部分に当接し、グレチャン保持部４４の凹部４４ａには切断刃４３は届かないので、凹部４４ａに納められた天面部１２は、切断されずにそのまま残ることになる。このように切断治具４０を用いてグレチャン本体１０の切断を行うことにより、天面部１２のみを残して容易に切断を行うことができ、作業性を向上させることができる。
【００３４】
これまで、本発明に係る実施形態について説明したが、本発明の適用はこの実施形態に限られるものではなく、その技術的思想の範囲内において様々に適用することができる。
本実施形態は、複合サッシに単板ガラスを納めたものについてであり、グレチャン本体１０もそれに適合するものであるが、グレチャン本体１０の形状はこれに限るものではなく他の形状でもよく、連結部品１の仕切板２はそれに合わせた形状とすると共に、笠板３はグレチャン本体１０の天面部１２に略適合するような形状とすることができる。この場合において、グレチャン本体１０が中空部１５を有していない構造とされてなる場合には、図６に示すように突起部５を設けないようにすることもできる。
【００３５】
またさらに、複合サッシに複層ガラスを納める場合におけるグレチャンについてもその連結部分に本発明に係るグレチャン連結部品を設けて、サッシ框にガラス体を納めた場合の突き合わせ端部における屋内外露出部分を覆うようにすることもできる。
【００３６】
【発明の効果】
以上のように、本発明によれば、グレチャンの突き合わせ端部の各側面に仕切板を当接し、仕切板の上端部には、サッシ框に固定されたグレチャン突き合わせ端部を略覆う笠板を設けることにより、グレチャンの連結部分の継ぎ目を見えないようにすることができ、また連結部分に隙間が生じた場合であっても屋内外いずれからも見えないようにすることができるので、サッシの意匠性を向上させることができるという効果がある。
【００３７】
また、本発明によれば、グレチャンの仕切板や笠板を、サッシ框のガラス挿入溝やグレチャンの形状に適合するような形状としているので、サッシやグレチャンに合わせてグレチャン連結部分を覆うことができる。
【００３８】
さらに、本発明によれば、仕切板はグレチャンの中空部に納められる断面形状を有する突起部を備えていることにより、突起部をグレチャンの中空部に嵌込んでグレチャンを強固に連結することができるという効果がある。
【００３９】
さらにまた、本発明によれば、仕切板には突起部を形成することなく、グレチャンの突き合わせ端部に当接、接着するように構成することもでき、様々なグレチャンに適用することができる。
【図面の簡単な説明】
【図１】本実施形態におけるグレチャン連結部品の斜視図である。
【図２】本実施形態におけるグレチャン連結部品の正面図である。
【図３】本実施形態におけるグレチャン連結部品の底面図である。
【図４】本実施形態においてグレチャンによってガラス体の四周を囲繞すると共にサッシ框を取付ける際の組立図である。
【図５】本実施形態におけるグレチャン連結部分の側面図である。
【図６】突起部を有しないグレチャン連結部品の斜視図である。
【図７】本実施形態においてグレチャンのガラス体コーナー部に当接する部分の切断を行う切断具を示した図である。
【図８】本実施形態におけるグレチャンの切断具の切断部分を示した図である。
【符号の説明】
１　　　連結部品本体
２　　　仕切板
２ａ　　段部
３　　　笠板
４　　　ガラス溝
５　　　突起部
５ａ　　先細部
１０　　　グレチャン本体
１１　　　ガラス保持部
１４ａ　　サッシ固定溝
１５　　　中空部
２０　　　サッシ框
２４　　　ガラス挟持部
２４ａ　　端縁部
２４ｂ　　ガラス挿入溝
３０　　　ガラス体
４０　　　切断治具
４１　　　持手部
４２　　　回転部
４３　　　切断刃
４４　　　グレチャン保持部
４４ａ　　凹部
【図１】
2004124592.tif 000003
【図２】
2004124592.tif 000004
【図３】
2004124592.tif 000005
【図４】
2004124592.tif 000006
【図５】
2004124592.tif 000007
【図６】
2004124592.tif 000008
【図７】
2004124592.tif 000009
【図８】
2004124592.tif 000010